(57)【要約】【課題】  セキュリティ機能を強化した画像形成装置を提供する。【解決手段】  第１情報処理装置から送信される画像データ、前記画像データに関連づけられた第１識別情報、及び第２機器から送信される第２識別情報を取得する取得部と、前記取得部で取得された、前記第１識別情報と前記第２識別情報との関係に基づいて、前記画像データの出力を決定する制御部と、前記決定に基づいて、前記画像データの出力を行う画像形成部と、を備える画像形成装置を提供する。【選択図】  図３
2017170661.tif 000002
【特許請求の範囲】
【請求項１】
第１情報処理装置から送信される画像データ、前記画像データに関連づけられた第１識別情報、及び第２機器から送信される第２識別情報を取得する取得部と、
前記取得部で取得された、前記第１識別情報と前記第２識別情報との関係に基づいて、前記画像データの出力を決定する制御部と、
前記決定に基づいて、前記画像データの出力を行う画像形成部と、
を備える画像形成装置。
【請求項２】
前記第１識別情報と前記第２識別情報とは、前記画像データに対して、一意に定められた情報を含む
請求項１に記載の画像形成装置。
【請求項３】
前記第１識別情報と前記第２識別情報とが、互いに同一関係である
請求項１又は２に記載の画像形成装置。
【請求項４】
前記制御部は、前記第１識別情報と前記第２識別情報との一致に基づいて、前記画像データの出力を決定する
請求項３に記載の画像形成装置。
【請求項５】
前記第１識別情報と前記第２識別情報とは、互いに対応する関係である
請求項１又は２に記載の画像形成装置。
【請求項６】
前記第１識別情報と前記第２識別情報とは、一方が保護情報を含み、他方が当該保護情報を解除する情報を含む
請求項５に記載の画像形成装置。
【請求項７】
前記第１識別情報と前記第２識別情報とは、一方が暗号化された情報を含み、他方が当該暗号化された情報を復号化する情報を含む
請求項５に記載の画像形成装置。
【請求項８】
前記制御部は、前記第１識別情報と前記第２識別情報との対応関係に基づいて、前記画像データの出力を決定する
請求項５に記載の画像形成装置。
【請求項９】
前記第１識別情報と前記第２識別情報とは、所定規則に基づく関係である
請求項１又は２に記載の画像形成装置。
【請求項１０】
前記第１識別情報と前記第２識別情報とが互いに補完関係を有する
請求項９に記載の画像形成装置。
【請求項１１】
前記第１識別情報と前記第２識別情報とは、参照情報に基づいて関連付けされる関係である
請求項９に記載の画像形成装置。
【請求項１２】
前記所定規則を記憶する記憶部をさらに備え、
前記制御部は、前記第１識別情報と前記第２識別情報との対応関係に基づいて、前記画像データの出力を決定する
請求項９に記載の画像形成装置。
【請求項１３】
前記制御部は、前記取得部で取得された、前記第１識別情報と前記第２識別情報との関係に基づいて、前記画像データを有する機器を特定する機器特定情報の取得を決定し、
前記決定に基づいて、前記第２情報処理装置に前記機器特定情報を要求する送信部をさらに備える
請求項１又は２に記載の画像形成装置。
【請求項１４】
前記機器特定情報は、前記第１情報処理装置の論理アドレスまたは物理アドレスを含む
請求項１３に記載の画像形成装置。
【請求項１５】
前記制御部は、前記機器特定情報に基づいて、前記画像データを有する機器を特定し、
前記送信部は、前記特定に基づいて、前記機器に対して前記画像データの送信を要求する、
請求項１３に記載の画像形成装置。
【請求項１６】
前記取得部は、前記第1情報処理装置から前記画像データを取得し、
前記画像形成部は、前記取得した前記画像データに基づいて画像形成を行う、
請求項１５に記載の画像形成装置。
【請求項１７】
前記画像データの画像形成の順番情報を記憶する記憶部をさらに備え、
前記制御部は、前記決定に基づいて、前記順番情報を変更する、
請求項１３に記載の画像形成装置。
【請求項１８】
前記制御部は、前記決定に基づいて、前記画像データの画像形成の順番を繰り上げる
請求項１７に記載の画像形成装置。
【発明の詳細な説明】
【技術分野】
【０００１】
本発明の一態様は、画像形成装置、画像形成方法、及び情報処理装置に関する。
【背景技術】
【０００２】
従来から、近距離無線通信（ＮＦＣ）などによる認証を行った後に印刷を実行することでセキュリティ性を高める印刷システムがある。このような印刷システムでは、ＰＣからの印刷命令の実行がなされると、プリンタ装置、印刷サーバー、または移動端末に印刷ジョブが送信されていた。この点、特許文献１には、移動型端末からプリンタに印刷指示をする際に、ユーザによるプリンタの操作なしにプリンタに印刷を実行させる印刷システムが開示されている。特許文献２には、近距離通信手段で携帯端末からデータを受信し、画像処理の制御に関するデータが含まれていた場合に、そのデータに従ってデータ処理するプリンタについて開示されている。特許文献３には、携帯端末とプリンタとの通信を確立する方法、及び印刷データの受け渡し方法に関して開示されている。
【先行技術文献】
【特許文献】
【０００３】
【特許文献１】特開２０１４−１５７５３２号公報
【特許文献２】特開２０１０−２４１１１４号公報
【特許文献３】特開２０１４−１４９６６６号公報
【発明の概要】
【発明が解決しようとする課題】
【０００４】
しかしながら、上記従来の印刷システムまたはプリンタ装置では、セキュリティ面で十分な配慮がなされていなかった。例えば、近距離無線通信による認証を利用したセキュリティ印刷では、ユーザ毎に設定されたユーザＩＤによる認証が行われていたため、特定ユーザの複数の印刷ジョブが未印刷状態でプリンタ装置に記憶されていた場合、ユーザが意図しない印刷ジョブをプリンタ装置が実行することがあった。この場合、意図しないプリンタ装置で機密文書が印刷されてしまうことがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１情報処理装置（ＰＣ１０）から送信される画像データ、前記画像データに関連づけられた第１識別情報（セキュリティＩＤ情報）、及び第２機器から送信される第２識別情報（セキュリティＩＤ情報）を取得する取得部（通信Ｉ／Ｆ２１０）と、
前記取得部で取得された、前記第１識別情報と前記第２識別情報との関係に基づいて、前記画像データの出力を決定する制御部（ＣＰＵ２００）と、
前記決定に基づいて、前記画像データの出力を行う画像形成部（印刷部２３０）と、
を備える画像形成装置（プリンタ装置２０）である。
【０００７】
上記の構成によれば、第１識別情報及び第２識別情報はいずれも画像データのために生成された情報であるため、同一ユーザによる画像データを含む画像形成指示（印刷ジョブなど）などであったとしても異なる識別情報を用いた認証を必要とすることができる。これによって、意図しない画像形成指示（印刷ジョブなど）が実行開始されてしまうことを防止しやすくすることができる。また、ユーザによる画像形成指示（印刷ジョブなど）の選択操作を行うことなく、簡単にセキュリティ保護された画像形成を開始することが可能となる。
【０００８】
また、上記画像形成装置において、好ましくは、
前記第１識別情報と前記第２識別情報とは、前記画像データに対して、一意に定められた情報を含む。
【０００９】
上記構成の画像形成装置によれば、識別情報を利用した認証を厳密にすることが可能となり、これによってセキュリティ性をさらに高めることが可能となる。
【００１０】
また、上記画像形成装置において、好ましくは、
前記第１識別情報と前記第２識別情報とが、互いに同一関係である。
【００１１】
上記構成の画像形成装置によれば、識別情報の比較認証を比較的容易に行うことが可能となる。
【００１２】
また、上記画像形成装置において、好ましくは、
前記制御部は、前記第１識別情報と前記第２識別情報との一致に基づいて、前記画像データの出力を決定する。
【００１３】
上記構成の画像形成装置によれば、識別情報に基づく認証を行った後に画像データ（またはこれを含む印刷ジョブなど）を出力する決定を行っているため、画像形成装置が認証前に画像データを受信する必要がない。そのため、この画像形成装置に対する不正アクセスなどがあったとしても、機密文書の画像データが漏洩することを防止することができる。これにより、セキュリティ性を高めることができる。また、必要なタイミングで画像データの送受信が行われるため、ネットワークの負荷を軽減させることができる。
【００１４】
また、上記画像形成装置において、好ましくは、
前記第１識別情報と前記第２識別情報とは、互いに対応する関係である。
【００１５】
上記構成の画像形成装置によれば、所定のルールに基づいて認証を行うことが可能となり、セキュリティ性をさらに高めることが可能となる。
【００１６】
また、上記画像形成装置において、好ましくは、
前記第１識別情報と前記第２識別情報とは、一方が保護情報を含み、他方が当該保護情報を解除する情報を含む。
【００１７】
上記構成の画像形成装置によれば、セキュリティ性をさらに高めることなどが可能となる。
【００１８】
また、上記画像形成装置において、好ましくは、
前記第１識別情報と前記第２識別情報とは、一方が暗号化された情報を含み、他方が当該暗号化された情報を復号化する情報を含む。
【００１９】
上記構成の画像形成装置によれば、暗号化及び復号の処理による認証を行うことが可能となり、セキュリティ性を高めることが可能となる。
【００２０】
また、上記画像形成装置において、好ましくは、
前記制御部は、前記第１識別情報と前記第２識別情報との対応関係に基づいて、前記画像データの出力を決定する。
【００２１】
上記構成の画像形成装置によれば、識別情報に基づく認証を行った後に画像データを出力する決定を行っているため、画像形成装置が認証前に画像データを受信する必要がない。そのため、この画像形成装置に対する不正アクセスなどがあったとしても、機密文書の画像データが漏洩することを防止することができる。
【００２２】
また、上記画像形成装置において、好ましくは、
前記第１識別情報と前記第２識別情報とは、所定規則に基づく関係である。
【００２３】
また、上記画像形成装置において、好ましくは、
前記第１識別情報と前記第２識別情報とが互いに補完関係を有する。
【００２４】
また、上記画像形成装置において、好ましくは、
前記第１識別情報と前記第２識別情報とは、参照情報に基づいて関連付けされる関係である。
【００２５】
また、上記画像形成装置において、好ましくは、
前記所定規則を記憶する記憶部をさらに備え、
前記制御部は、前記第１識別情報と前記第２識別情報との対応関係に基づいて、前記画像データの出力を決定する。
【００２６】
上記構成の画像形成装置によれば、識別情報に基づく認証を行った後に画像データを出力する決定を行っているため、画像形成装置が認証前に画像データを受信する必要がない。そのため、この画像形成装置に対する不正アクセスなどがあったとしても、機密文書の画像データが漏洩することを防止することができる。
【００２７】
また、上記画像形成装置において、好ましくは、
前記制御部は、前記取得部で取得された、前記第１識別情報と前記第２識別情報との関係に基づいて、前記画像データを有する機器を特定する機器特定情報の取得を決定し、
前記決定に基づいて、前記第２情報処理装置に前記機器特定情報を要求する送信部をさらに備える。
【００２８】
上記構成の画像形成装置によれば、画像形成装置が、認証に成功したときにだけ、機器を特定するための機器特定情報を要求しているため、画像形成装置に不正アクセスなどがあったとしても、機密文書の漏洩を防止しやすくすることができる。
【００２９】
また、上記画像形成装置において、好ましくは、
前記機器特定情報は、前記第１情報処理装置の論理アドレスまたは物理アドレスを含む。
【００３０】
上記構成の画像形成装置によれば、画像データの送信を要求するべき機器の特定を、予め記憶部に記憶された論理アドレスまたは物理アドレスに基づいて比較的容易に行うことが可能となる。
【００３１】
また、上記画像形成装置において、好ましくは、
前記制御部は、前記機器特定情報に基づいて、前記画像データを有する機器を特定し、
前記送信部は、前記特定に基づいて、前記機器に対して前記画像データの送信を要求する。
【００３２】
上記構成の画像形成装置によれば、機器特定情報で画像データの送信を要求すべき機器を特定し、特定された機器に対して画像データの送信を要求するため、不正アクセスなどがあった場合であっても、機密文書が漏洩することをさらに効果的に防止することが可能となる。
【００３３】
また、上記画像形成装置において、好ましくは、
前記取得部は、前記第1情報処理装置から前記画像データを取得し、
前記画像形成部は、前記取得した前記画像データに基づいて画像形成を行う。
【００３４】
また、上記画像形成装置において、好ましくは、
前記画像データの画像形成の順番情報を記憶する記憶部をさらに備え、
前記制御部は、前記決定に基づいて、前記順番情報を変更する。
【００３５】
また、上記画像形成装置において、好ましくは、
前記制御部は、前記決定に基づいて、前記画像データの画像形成の順番を繰り上げる。
【００３６】
本発明の別の手段は、
画像データに関連づけられた第１識別情報と第２識別情報とを生成する生成部と、
前記第１識別情報を画像形成装置に送信し、前記第２識別情報を第２情報処理装置に送信する送信部と、
前記画像形成装置からの要求に基づいて前記画像データを前記画像形成装置に送信する制御部と、
を備える第１情報処理装置である。
【００３７】
上記第１情報処理装置において、好ましくは、
前記生成部は、前記画像データを有する機器を特定する機器特定情報を生成し、
前記送信部は、前記第２識別情報と前記機器特定情報とを前記第２情報処理装置に送信する。
【００３８】
また、上記第１情報処理装置において、好ましくは、
前記生成部で生成される前記第１識別情報、前記第２識別情報、及び前記機器特定情報が所定の関係を有する。
【００３９】
また、上記第１情報処理装置において、好ましくは、
前記所定の関係とは、前記第１識別情報と、前記第２識別と、機器特定情報とが、前記画像データに対する一意の情報を含む。
【００４０】
本発明の別の手段は、
第１情報処理装置から、画像データに関連づけられた第２識別情報と、前記画像データを有する機器を特定する機器特定情報とを受信する受信部と、
前記画像形成装置からの要求に基づいて、画像形成装置に前記第２識別情報と、前記機器特定情報とを前記画像形成装置に送信する送信部と、
を備える第２情報処理装置である。
【００４１】
また、上記第２情報処理装置において、好ましくは、
前記第１情報処理装置から受信した前記第２識別情報と、前記機器特定情報とを対応づけて記憶する記憶部を備える。
【００４２】
また、上記第２情報処理装置において、好ましくは、
制御部を備え、
前記制御部は、前記要求に対応する、前記記憶部に記憶された、前記第２識別情報を決定し、
前記送信部は、前記決定に基づいて、前記第２識別情報を前記画像形成装置に送信する。
【００４３】
また、上記第２情報処理装置において、好ましくは、
前記第２識別情報の送信後、
前記制御部は、前記画像形成装置からの要求に基づいて、前記記憶部に記憶された、前記第２識別情報に対応する前記機器識別情報を決定し、
前記送信部は、前記決定に基づいて、前記機器識別情報を前記画像形成装置に送信する。
【図面の簡単な説明】
【００４４】
【図１】プリンタシステムの構成を示す図。
【図２】ＰＣ、プリンタ装置、認証端末の間のデータのやり取りの流れを示すフローチャート。
【図３】セキュリティ印刷処理のフローチャートを示す図。
【図４】セキュリティ印刷処理の具体例を示す図。
【図５】セキュリティ印刷処理の具体例を示す図。
【図６】セキュリティ印刷処理のフローチャートを示す図。
【図７】セキュリティ印刷処理のフローチャートを示す図。
【発明を実施するための形態】
【００４５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）プリンタシステムの構成例
（２）セキュリティ印刷処理の具体例
（３）動作例
２．実施形態２
３．実施形態３
４．補足事項
【００４６】
＜１．実施形態１＞
まず、本発明の実施形態１について、図１〜図５を参照しながら説明する。本実施形態で説明するプリンタシステムでは、ＰＣ（Ｐｅｒｓｏｎａｌ  Ｃｏｍｐｕｔｅｒ）が画像データのために個別に生成したユニークな識別情報であるセキュリティＩＤ情報をプリンタ装置と認証端末に送信し、このプリンタ装置と認証端末との間で認証を行っている。そして、認証に成功すると、プリンタ装置はＰＣに対して画像データの送信を要求して、受信した画像データの印刷を実行している。
【００４７】
＜（１）プリンタシステムの構成例＞
図１は、本実施形態のプリンタシステムの構成を示す図である。図１に示すように、本実施形態のプリンタシステムは、ＰＣ１０、プリンタ装置２０、及び認証端末３０を含んで構成される。認証端末３０は、近距離無線通信などの無線通信機能を備えるスマートフォン、携帯電話、タブレット、またはＩＣカードなどである。
【００４８】
＜ＰＣ１０＞
ＰＣ１０は、ＣＰＵ１００、通信Ｉ／Ｆ（インタフェース）１１０、及びメモリ１２０を含んで構成される。
【００４９】
＜ＣＰＵ１００＞
ＣＰＵ１００は、通信Ｉ／Ｆ１１０及びメモリ１２０を制御するよう構成される。ＣＰＵ１００は、ユーザにより文書または画像などの画像データの印刷が実行されたときに、この画像データを含む印刷ジョブに対応付けられたユニークな（一意に決定された）セキュリティＩＤ情報を生成する。そして、ＣＰＵ１００は、生成したセキュリティＩＤ情報を、メモリ１２０に記憶させ、通信Ｉ／Ｆ１１０を介してプリンタ装置２０及び認証端末３０に対して無線で送信する。なお、ＣＰＵ１００は、生成されたセキュリティＩＤ情報を利用した認証を行った後に印刷を行うセキュリティ印刷の他に、通常印刷を実行可能であるが、セキュリティ印刷の場合にだけ、セキュリティＩＤ情報を生成する。
【００５０】
また、ＣＰＵ１００は、ユーザ操作により、画像データに基づいて、この画像データを含む印刷ジョブを生成してメモリ１２０に記憶させる。印刷ジョブにはセキュリティＩＤ情報が関連づけられ、印刷ジョブと共にメモリ１２０に記憶される。印刷ジョブには、画像データ、並びに用紙サイズ、及び拡大縮小などの設定情報が含まれる。ＣＰＵ１００は、通信Ｉ／Ｆ１１０を介して、プリンタ装置２０からの印刷ジョブの要求を受信したとき、セキュリティＩＤ情報による認証を行い、認証に成功すると、メモリ１２０から対応する印刷ジョブを読み出し、通信Ｉ／Ｆ１１０を介して印刷ジョブの要求をしたプリンタ装置２０に送信する。ＣＰＵ１００は、印刷ジョブの完了通知をプリンタ装置２０から受信すると、この印刷ジョブに対応するセキュリティＩＤ情報をメモリ１２０から抹消する。
【００５１】
また、ＣＰＵ１００は、認証端末３０に対してセキュリティＩＤ情報を送信するときに、ＰＣ１０のアドレス情報を送信する。このアドレス情報は、ＩＰアドレスなどの論理アドレス、またはＭＡＣアドレスなどの物理アドレスであり、ＰＣ１０へのアクセスを容易にするためのものである。なお、アドレス情報は、本発明の機器特定情報の一例である。
【００５２】
＜通信Ｉ／Ｆ１１０＞
通信Ｉ／Ｆ１１０は、ＰＣ１０と、プリンタ装置２０及び認証端末３０とのデータのやり取りを行うよう構成される。具体的には、通信Ｉ／Ｆ１１０は、プリンタ装置２０に対してセキュリティＩＤ情報、及び印刷ジョブを送信し、プリンタ装置２０から印刷ジョブ要求、及びセキュリティＩＤ情報を受信する。また、通信Ｉ／Ｆ１１０は、認証端末３０に対してセキュリティＩＤ情報、及びアドレス情報を送信する。
【００５３】
ＰＣ１０の通信Ｉ／Ｆ１１０、プリンタ装置２０の通信Ｉ／Ｆ２１０、及び認証端末３０の通信Ｉ／Ｆ３１０は、互いに無線ＬＡＮ（Ｗｉ−Ｆｉ）または近距離無線通信などによる無線通信により通信する。なお、この無線通信は、無線ＬＡＮ、または近距離無線通信に限定されるものではなく、Ｂｌｕｅｔｏｏｔｈ（登録商標）、または３Ｇもしくは４Ｇなどの無線通信が採用されてもよい。また、この無線通信は、Ｅｔｈｅｒｎｅｔ（有線ＬＡＮ）、またはＵＳＢなどの有線通信に置き換えられてもよいし、Ｅ−ｍａｉｌが使われてもよい。本実施形態では、ＰＣ１０の通信Ｉ／Ｆ１１０とプリンタ装置２０の通信Ｉ／Ｆ２１０とは無線ＬＡＮ（Ｗｉ−Ｆｉ）で通信を行い、認証端末３０の通信Ｉ／Ｆ３１０と、ＰＣ１０の通信Ｉ／Ｆ１１０及びプリンタ装置２０の通信Ｉ／Ｆ２１０とは近距離無線通信で通信を行うものとして説明する。
【００５４】
＜メモリ１２０＞
メモリ１２０は、画像データを含む印刷ジョブ、及びセキュリティＩＤ情報を記憶するよう構成される。セキュリティＩＤ情報は、対応する印刷ジョブに関連付けられて記憶される。
【００５５】
＜プリンタ装置２０＞
プリンタ装置２０は、ＣＰＵ２００、通信Ｉ／Ｆ２１０、メモリ２２０、及び印刷部２３０を含んで構成される。なお、プリンタ装置２０は、印刷機能以外の機能を併せ持つ複合機などの装置であってもよい。
【００５６】
＜ＣＰＵ２００＞
ＣＰＵ２００は、通信Ｉ／Ｆ２１０、メモリ２２０、及び印刷部２３０を制御するよう構成される。図２は、ＰＣ１０、プリンタ装置２０、及び認証端末３０の間のデータのやり取りの流れを示すフローチャートである。ＣＰＵ２００は、ＰＣ１０から通信Ｉ／Ｆ２１０を介して受信したセキュリティＩＤ情報をメモリ２２０に記憶させる（Ｓ６００〜Ｓ６２０）。また、ＣＰＵ２００は、通信Ｉ／Ｆ２１０と認証端末３０の通信Ｉ／Ｆ３１０との通信により、認証端末３０からセキュリティＩＤ情報を受信する（Ｓ６３０〜Ｓ６６０）。ＣＰＵ２００は、受信したセキュリティＩＤ情報を、メモリ２２０に記憶されたセキュリティＩＤ情報と比較することで認証を行い（Ｓ６７０）、認証に成功した場合に、認証端末３０に対して、通信Ｉ／Ｆ２１０を介して、アドレス情報を要求して受け取る（Ｓ６８０〜Ｓ７００）。ＣＰＵ２００は、受け取ったアドレス情報に基づいて、印刷ジョブを要求すべきＰＣ１０を特定して（Ｓ７１０）、通信Ｉ／Ｆ２１０を介して、このＰＣ１０に対して印刷ジョブを要求し受信する（Ｓ７２０〜Ｓ７５０）。ＣＰＵ２００は、ＰＣ１０から受信した印刷ジョブに基づいて、この印刷ジョブに含まれる画像データの印刷を印刷部２３０に指示する（Ｓ７６０）。この印刷が完了すると、ＣＰＵ２００は、印刷が完了した印刷ジョブに対応するセキュリティＩＤ情報をメモリ２２０から消去するとともに（Ｓ７７０）、ＰＣ１０及び認証端末３０に対しても印刷ジョブの完了通知を送信することで（Ｓ７８０）、ＰＣ１０及び認証端末３０にもセキュリティＩＤ情報を抹消させる（Ｓ７９０〜Ｓ８２０）。
【００５７】
＜通信Ｉ／Ｆ２１０＞
通信Ｉ／Ｆ２１０は、プリンタ装置２０とＰＣ１０とのデータの送受信を無線ＬＡＮで行うよう構成される。具体的には、通信Ｉ／Ｆ２１０は、ＰＣ１０からセキュリティＩＤ情報、及び印刷ジョブを受信し、ＰＣ１０に対して印刷ジョブの要求、及びセキュリティＩＤ情報を受信する。また、通信Ｉ／Ｆ２１０は、プリンタ装置２０と認証端末３０とのデータの送受信を近距離無線通信で行うよう構成される。具体的には、通信Ｉ／Ｆ２１０は、認証端末３０からセキュリティＩＤ情報、及びＰＣ１０のアドレス情報を受信する。
【００５８】
＜メモリ２２０＞
メモリ２２０は、セキュリティＩＤ情報、アドレス情報、及び印刷ジョブを記憶するよう構成される。
【００５９】
＜印刷部２３０＞
印刷部２３０は、ＣＰＵ２００の制御により、入力された画像データに基づいて、記録媒体である紙などに対してインクを塗布するなどして印刷を実行する。なお、印刷部２３０による媒体に対する印刷は、インクジェット方式またはレーザー方式などの種々の方式を採用可能である。
【００６０】
＜認証端末３０＞
認証端末３０は、通信Ｉ／Ｆ３１０、及びメモリ３２０を含んで構成される。認証端末３０は、これらの構成以外にＣＰＵなどを含んでもよい。
【００６１】
＜通信Ｉ／Ｆ３１０＞
通信Ｉ／Ｆ３１０は、認証端末３０と、ＰＣ１０及びプリンタ装置２０とのデータの送受信を近距離無線通信で行うよう構成される。具体的には、通信Ｉ／Ｆ３１０は、ＰＣ１０からセキュリティＩＤ情報、及びアドレス情報を受信する。通信Ｉ／Ｆ３１０で受信されたセキュリティＩＤ情報及びアドレスは、メモリ３２０に記憶される。また、通信Ｉ／Ｆ３１０は、プリンタ装置２０に近接したことを検出すると、近距離無線通信でこのプリンタ装置２０に対してセキュリティＩＤ情報を送信する。そして、プリンタ装置２０におけるセキュリティＩＤ情報による認証が成功し、プリンタ装置２０からのアドレス情報の要求を受信すると、アドレス情報を送信する。通信Ｉ／Ｆ３１０は、プリンタ装置２０から印刷ジョブの完了通知を受信すると、これらのセキュリティＩＤ情報及びアドレス情報をメモリ３２０から抹消する。なお、認証端末３０が制御部をさらに備え、通信Ｉ／Ｆ３１０が行っているこれらの処理を制御部が行ってもよい。
【００６２】
＜メモリ３２０＞
メモリ３２０は、セキュリティＩＤ情報、及びアドレス情報を記憶するよう構成される。
【００６３】
＜（２）セキュリティ印刷処理の具体例＞
次に、プリンタシステムにおいて実行されるセキュリティ印刷の処理の具体例について、図３を参照しながら説明する。
【００６４】
図３は、本実施形態のプリンタシステムにおけるセキュリティ印刷処理の具体例を示すフローチャートである。
【００６５】
＜Ｓ５００〜Ｓ５２０＞
ＰＣ１０において、ユーザによりセキュリティ印刷命令が実行されると（Ｓ５００）、ＰＣ１０のＣＰＵ１００は、印刷すべき画像データに基づいて印刷ジョブを生成し、さらにこの印刷ジョブに対応付けられたユニークなセキュリティＩＤ情報を生成する（Ｓ５１０）。すなわち、セキュリティＩＤ情報は、印刷ジョブ毎に異なる情報であり、ＣＰＵ１００により自動生成される。そして、ＰＣ１０のＣＰＵ１００は、通信Ｉ／Ｆ１１０を介して、プリンタ装置２０に対してセキュリティＩＤ情報を送信する。また、ＣＰＵ１００は、通信Ｉ／Ｆ１１０を介して、認証端末３０に対してセキュリティＩＤ情報及びアドレス情報を送信する（Ｓ５２０）。
【００６６】
プリンタ装置２０のＣＰＵ２００は、通信Ｉ／Ｆ２１０を介して受信したセキュリティＩＤ情報をメモリ２２０に記憶させる。認証端末３０は、通信Ｉ／Ｆ３１０を介して受信したセキュリティＩＤ情報及びアドレス情報をメモリ３２０に記憶させる。
【００６７】
＜Ｓ５３０＞
次に、ユーザが、認証端末３０をプリンタ装置２０にかざすと、認証端末３０とプリンタ装置２０とが近距離無線通信を開始し、認証端末３０はプリンタ装置２０に対してセキュリティＩＤ情報を送信する（Ｓ５３０）。
【００６８】
＜Ｓ５４０＞
次に、プリンタ装置２０のＣＰＵ２００は、通信Ｉ／Ｆ２１０を介して受信したセキュリティＩＤ情報に基づいて、メモリ２２０に記憶されたセキュリティＩＤ情報との比較照合を行うことで認証する（Ｓ５４０）。
【００６９】
＜Ｓ５５０＞
上記のセキュリティＩＤ情報の認証において、セキュリティＩＤ情報が一致して認証に成功すると（Ｓ５４０でＹ）、プリンタ装置２０のＣＰＵ２００は、プリンタ装置２０で実行されている、または実行待ちの印刷ジョブを、全て保留して（Ｓ５５０）、セキュリティＩＤ情報に関連付けられたセキュリティ印刷の印刷ジョブを最優先で実行する。
【００７０】
＜Ｓ５６０＞
次に、プリンタ装置２０のＣＰＵ２００は、認証端末３０に対して、通信Ｉ／Ｆ２１０を介して、印刷ジョブを記憶しているＰＣ１０のアドレス情報を要求する。認証端末３０の通信Ｉ／Ｆ３１０は、このアドレス情報の要求に基づいて、メモリ３２０に記憶されたアドレス情報をプリンタ装置２０に対して送信する。プリンタ装置２０は、通信Ｉ／Ｆ２１０を介してＰＣ１０のアドレス情報を受信する（Ｓ５６０）。
【００７１】
＜Ｓ５７０＞
次に、プリンタ装置２０は、受信したアドレス情報に基づいてＰＣ１０を特定し、このＰＣ１０に対して、通信Ｉ／Ｆ２１０を介して、セキュリティＩＤ情報及び印刷ジョブの要求を送信する（Ｓ５７０）。
【００７２】
＜Ｓ５８０＞
ＰＣ１０のＣＰＵ１００は、通信Ｉ／Ｆ１１０を介してプリンタ装置２０からセキュリティＩＤ情報及び印刷ジョブ要求を受信すると、メモリ１２０に記憶されたセキュリティＩＤ情報との比較による認証を行う（Ｓ５８０）。
【００７３】
＜Ｓ５９０＞
ＰＣ１０のＣＰＵ１００は、セキュリティＩＤ情報が一致する印刷ジョブを確認すると（Ｓ５８０でＹ）、通信Ｉ／Ｆ１１０を介して、この印刷ジョブをプリンタ装置２０に対して送信する（Ｓ５９０）。これにより、プリンタ装置２０は、ＰＣ１０から、画像データを含む印刷ジョブを受信する。
【００７４】
＜Ｓ６００＞
そして、プリンタ装置２０のＣＰＵ２００は、通信Ｉ／Ｆ２１０を介して受信した印刷ジョブに基づいて、印刷部２３０に指示することでセキュリティ印刷を開始させる（Ｓ６００）。
【００７５】
＜Ｓ６１０〜Ｓ６２０＞
プリンタ装置２０におけるセキュリティ印刷が完了すると（Ｓ６００）、プリンタ装置２０のＣＰＵ２００は、メモリ２２０に記憶されたセキュリティＩＤ情報を抹消する。また、ＣＰＵ２００は、セキュリティ印刷のために記憶されていたアドレス情報及び印刷ジョブも抹消する。そして、ＣＰＵ２００は、通信Ｉ／Ｆ２１０を介して、ＰＣ１０及び認証端末３０に対して印刷ジョブの完了通知を送信する。これに応答して、ＰＣ１０のＣＰＵ１００は、セキュリティＩＤ情報及び印刷ジョブを抹消する。また、認証端末３０の通信Ｉ／Ｆ３１０はセキュリティＩＤ情報及びアドレス情報を抹消する。これにより、全てのセキュリティＩＤ情報が抹消され（Ｓ６１０）、セキュリティ印刷が終了する（Ｓ６２０）。
【００７６】
また、プリンタ装置２０と認証端末３０との間でセキュリティＩＤ情報の比較による認証に失敗した場合（Ｓ５４０でＮ）、またはＰＣ１０とプリンタ装置２０との間で認証に失敗した場合（Ｓ５８０でＮ）、認証に用いられたセキュリティＩＤ情報は、プリンタ装置２０から送信されるセキュリティＩＤ情報抹消要求に応答して抹消される（Ｓ６１０）。同様に、認証端末３０に対しても、プリンタ装置２０からセキュリティＩＤ情報の抹消要求を送信し、これに応答して認証端末３０でセキュリティＩＤ情報の抹消が行われてもよい。これにより、本実施形態のプリンタシステムでは、不正な認証が行われそうな場合にはセキュリティＩＤ情報を消去することでセキュリティを保つ。
【００７７】
以上のセキュリティ印刷処理を実行可能なプリンタシステムによれば、ユーザは、プリンタ装置２０で印刷ジョブを選択するなどの操作を行う必要が無いため、簡単にセキュリティ保護された印刷を実行することが可能となる。また、画像データを含む印刷ジョブに対して個別に生成されたセキュリティＩＤ情報が一致しない限り印刷が開始されないため、セキュリティ性を高めることが可能となる。特に、ユーザが通常利用するネットワークとは異なるネットワーク上のプリンタ装置で印刷を実行する場合に、誤って意図しない機密文書が印刷されてしまうことなどを防止することができる。
【００７８】
また、本実施形態のプリンタシステムによれば、セキュリティＩＤ情報に基づく認証を行った後に印刷ジョブを送受信しているため、認証前に印刷ジョブの送受信を行うことが無くなり、これによりネットワーク負荷を軽減させることができる。また、プリンタ装置２０に印刷ジョブが長時間記憶されたままになることを防止することができ、セキュリティ面においても安全な印刷を行うことが可能となる。
【００７９】
また、アドレス情報を用いてＰＣ１０を特定しているため、プリンタ装置２０では、比較的容易な処理により、画像データを要求すべきＰＣ１０を特定することができる。また、プリンタ装置２０は、アドレス情報を認証端末３０から受け取るため、プリンタ装置２０がＰＣ１０から直接アドレス情報を受け取る場合と比較して、さらにセキュリティ性を高めることが可能となる。さらに、アドレス情報として論理アドレス情報（ＩＰアドレス）または物理アドレス情報（ＭＡＣアドレス）を利用すれば、さらに容易にＰＣ１０を特定することが可能となる。
【００８０】
また、本実施形態のプリンタシステムでは、いずれかのセキュリティＩＤ情報が抹消されれば印刷が実行されることがなくなるため、誤って印刷が実行されてしまうことを防止しやすくすることができる。例えば、ユーザが誤って印刷実行命令を送信した場合であっても、ＰＣ１０側の印刷ジョブまたはセキュリティＩＤ情報を抹消すれば、プリンタ装置２０で印刷が実行されることはない。
【００８１】
また、セキュリティＩＤ情報による認証が行われたときには、優先的にセキュリティ印刷を実行しているため、実行中の印刷処理を待つことなく機密文書などを印刷することができる。これにより、プリンタ装置２０に機密文書が放置されるリスクを低減することができる。
【００８２】
上記の場合において、セキュリティ印刷を優先的に実行するために、プリンタ装置２０のメモリ２２０が印刷の順番（順序）を管理する順番情報を記憶し、ＣＰＵ２００がこの順番情報に沿って印刷順を制御及び調整する方法を採用してもよい。この場合、セキュリティＩＤ情報による認証が行われたタイミングでＣＰＵ２００がメモリ２２０に記憶された順番情報を変更する処理を行う。ＣＰＵ２００による印刷順番の変更は、例えば、印刷ジョブ（または画像データ）に対して予め設定された優先度情報などに基づいて行うことができる。また、ＣＰＵ２００は、セキュリティＩＤ情報に基づく認証が行われた印刷ジョブ（画像データ）の印刷順を繰り上げるような処理を行ってもよい。
【００８３】
また、上記のようにセキュリティＩＤ情報による認証が行われた場合に、対応する印刷ジョブの印刷順を繰り上げずに、対応する印刷ジョブより前に印刷すべき印刷ジョブの印刷速度を速めるような処理を行ってもよい。この場合、ＣＰＵ２００は、印刷速度を速めようとする印刷ジョブの印刷設定を変更するなどの処理を行う。
【００８４】
＜（３）動作例＞
次に、セキュリティ印刷処理における具体的な動作例について、図４及び図５を参照しながら説明する。この例において、プリンタ装置２０Ａ及び２０Ｂは、ＰＣ１０と同じローカルエリアネットワーク（ＬＡＮ）に接続され、プリンタ装置２０Ｃは、ＰＣ１０とは異なるローカルエリアネットワーク（ＬＡＮ）に接続されているものとする。
【００８５】
図４は、セキュリティ印刷処理において、ＰＣ１０から印刷ジョブＡ、Ｂ、及びＣが送信されたときの各装置に記憶されたセキュリティＩＤ情報の状態を示す図である。
【００８６】
この例では、まず、ユーザがＰＣ１０を操作して、プリンタ装置２０Ａで印刷ジョブＡを実行させようとする。このとき、ＰＣ１０は、印刷ジョブＡに対応するセキュリティＩＤ情報（ＩＤ−Ａ）を生成し、プリンタ装置２０Ａ、及び移動端末３０Ａに送信する（図４（ａ）参照）。
【００８７】
次に、ユーザはＰＣ１０を操作して、プリンタ装置２０Ａまたはプリンタ装置２０Ｂで印刷ジョブＢを実行させようとする。このとき、ＰＣ１０は、印刷ジョブＢに対応するセキュリティＩＤ情報（ＩＤ−Ｂ）を生成し、プリンタ装置２０Ａ、プリンタ装置２０Ｂ、及び移動端末３０Ａに送信する（図４（ｂ）参照）。
【００８８】
次に、ユーザはＰＣ１０を操作して、プリンタ装置２０Ｃで印刷ジョブＣを実行させようとする。このとき、ＰＣ１０は、印刷ジョブＣに対応するセキュリティＩＤ情報（ＩＤ−Ｃ）を生成し、プリンタ装置２０Ｃ、及び移動端末３０Ａに送信する（図４（ｃ）参照）。
【００８９】
図５は、セキュリティ印刷処理において、プリンタ装置２０Ｃにおいて印刷ジョブＣの印刷を実行するときの流れを示す図である。
【００９０】
この例では、ユーザはプリンタ装置２０Ｃで印刷ジョブＣを実行させるため、移動端末３０Ａをプリンタ装置２０Ｃにかざす。これにより、プリンタ装置２０Ｃと移動端末３０Ａとが近距離無線通信を実行し、プリンタ装置２０ＣではセキュリティＩＤ情報の比較照合による認証が行われる。ここで、プリンタ装置２０Ｃ及び移動端末３０Ａは、いずれも印刷ジョブＣに対応するセキュリティＩＤ情報（ＩＤ−Ｃ）を記憶しているため、セキュリティＩＤ情報（ＩＤ−Ｃ）の認証が成功する（図５（ａ）参照）。認証に成功すると、プリンタ装置２０Ｃは、セキュリティＩＤ情報（ＩＤ−Ｃ）に対応する印刷ジョブＣを持っているＰＣ１０を特定するためのアドレス情報を移動端末３０Ａから取得する。ここで、プリンタ装置２０Ｃは、印刷ジョブＡ及び印刷ジョブＢに対応するセキュリティＩＤ情報は保有していないため、これらの印刷ジョブに関する認証は行われない。すなわち、プリンタ装置２０Ｃでは印刷ジョブＡ及び印刷ジョブＢが実行されることはない。
【００９１】
セキュリティＩＤ情報の認証が成功すると、プリンタ装置２０Ｃは、取得したアドレス情報に基づいて、認証に成功したセキュリティＩＤ情報に対応する印刷ジョブＣの送信をＰＣ１０に要求する。ＰＣ１０は、これに応答して、印刷ジョブＣを、ネットワークを介してプリンタ装置２０Ｃに送信する（図５（ｂ）参照）。
【００９２】
プリンタ装置２０Ｃは、印刷ジョブＣを受信すると、この印刷ジョブに基づく印刷を開始する。そして、印刷が完了すると、プリンタ装置２０Ｃは、記憶していたセキュリティＩＤ情報（ＩＤ−Ｃ）を消去する。また、プリンタ装置２０Ｃは、ＰＣ１０及び移動端末３０Ａに対して印刷ジョブＣの完了通知を送信する。これに応答して、ＰＣ１０及び移動端末３０Ａでも、記憶されていたセキュリティＩＤ情報（ＩＤ−Ｃ）が消去される（図５（ｃ）参照）。
【００９３】
本実施形態のプリンタシステムでは、上記のような処理が可能であるため、ＰＣ１０が接続されたローカルエリアネットワーク（ＬＡＮ）に接続されたプリンタ装置２０のみならず、他のローカルエリアネットワーク（ＬＡＮ）に接続されたプリンタ装置２０においても、簡単にセキュリティ性を高めた印刷を実行することが可能となる。また、ユーザにより印刷ジョブを実行すべきプリンタ装置を限定することが可能であり、ユーザが使用するＰＣ１０が接続されたネットワークとは異なるネットワークに接続されたプリンタ装置２０Ｃで、意図しない印刷ジョブ（印刷ジョブＡ及びＢ）が印刷されてしまうことを防止することが可能である。
【００９４】
＜２．実施形態２＞
次に、本発明の実施形態２について、図６を参照しながら説明する。本実施形態は、実施形態１と比較して、プリンタ装置２０と認証端末３０とが一定時間以上通信を行わず、認証が行われないときに、セキュリティＩＤ情報を抹消する処理が行われる点で相違する。以下、実施形態１と比較した相違点について説明し、実施形態１と同様の内容についてはその説明を省略する。
【００９５】
＜Ｓ５３１〜Ｓ５３２＞
セキュリティＩＤ情報がＰＣ１０からプリンタ装置２０及び認証端末３０に送信されたら（Ｓ５２０）、プリンタ装置２０は、認証端末３０との通信が行われるのを待つ（Ｓ５３１〜Ｓ５３２）。一定時間経過してもプリンタ装置２０と認証端末３０との通信が行われない場合（Ｓ５３２でＹ）、プリンタ装置２０は、記憶していたセキュリティＩＤ情報を抹消する。さらに、プリンタ装置２０は、抹消したセキュリティＩＤ情報と同一のセキュリティＩＤ情報を抹消するよう、ＰＣ１０及び認証端末３０に対して要求する。この要求に応答して、ＰＣ１０及び認証端末３０では、セキュリティＩＤ情報が抹消される（Ｓ６１０）。このとき、ＰＣ１０では対応する印刷ジョブが消去され、認証端末３０では対応するアドレス情報が消去される。
【００９６】
なお、ＰＣ１０からセキュリティＩＤ情報が送信されてから一定時間が経過したか否かの判定は、プリンタ装置２０ではなくＰＣ１０において行われてもよい。この場合であっても、所定時間が経過した後にすべてのセキュリティＩＤ情報が消去されるよう、ＰＣ１０が処理を行う。
【００９７】
本実施形態のプリンタシステムによれば、印刷ジョブが所定時間以上開始されないときには開始されない印刷ジョブに対応するセキュリティＩＤ情報を消去しているため、セキュリティ性を高めることができる。
【００９８】
＜３．実施形態３＞
次に、本発明の実施形態３について、図７を参照しながら説明する。本実施形態は、実施形態２と比較して、プリンタ装置２０と認証端末３０との間で認証が成功したにもかかわらず、プリンタ装置２０で一定時間以上に渡って印刷ジョブが受信されないときに、セキュリティＩＤ情報を抹消する処理が行われる点で相違する。以下、実施形態１及び実施形態２と比較した相違点について説明し、実施形態１及び実施形態２と同様の内容についてはその説明を省略する。
【００９９】
＜Ｓ５９１〜Ｓ５９２＞
プリンタ装置２０と認証端末３０との間のセキュリティＩＤ情報による認証が成功した後（Ｓ５４０でＹ）、プリンタ装置２０はＰＣ１０から印刷ジョブを取得するための処理を行う（Ｓ５５０〜Ｓ５８０）。セキュリティＩＤが一致した場合に（Ｓ５８０でＹ）、プリンタ装置２０は、プリンタ装置２０がＰＣ１０から印刷ジョブを受信しないまま一定時間が経過したか否かの判定を行う（Ｓ５９１〜Ｓ５９２）。一定時間が経過してもプリンタ装置２０がＰＣ１０から印刷ジョブを受信しない場合（Ｓ５９２でＹ）、プリンタ装置２０は、記憶していたセキュリティＩＤ情報を抹消する。さらに、プリンタ装置２０は、抹消したセキュリティＩＤ情報と同一のセキュリティＩＤ情報を抹消するよう、ＰＣ１０及び認証端末３０に対して要求する。この要求に応答して、ＰＣ１０及び認証端末３０では、セキュリティＩＤ情報が抹消される（Ｓ６１０）。このとき、ＰＣ１０では対応する印刷ジョブが消去され、認証端末３０では対応するアドレス情報が消去される。
【０１００】
上記状況は、例えば、ＰＣ１０で印刷ジョブがキャンセルされたときなどに発生することがある。上記本実施形態のプリンタシステムによれば、セキュリティＩＤ情報による認証が成功したにもかかわらずプリンタ装置２０が印刷ジョブを受け取ることができない場合に、セキュリティＩＤ情報が残されたままになる状況を回避することが可能となる。
【０１０１】
＜４．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【０１０２】
上記実施形態のプリンタシステムでは、通常印刷とは異なるセキュリティ印刷を例に挙げて説明したが、これ以外にエコ印刷などの印刷設定を設けてもよい。この場合、エコ印刷についてもセキュリティ印刷と同様の処理を行うことにより、不要な印刷を削減することなどが可能となる。
【０１０３】
また、上記実施形態のプリンタシステムでは、セキュリティＩＤ情報が一致した場合に認証が成功すると判定する例について説明したが（例えば図２のＳ５４０など）、必ずしもセキュリティＩＤ情報の一致を認証成功条件としなくてもよい。例えば、ＰＣ１０から受信したセキュリティＩＤ情報と、認証端末３０から受信したセキュリティＩＤ情報とが所定の対応関係にある場合に認証成功と判定する処理を行ってもよい。この所定の関係とは、例えば、一方のセキュリティＩＤ情報がパスワードで保護されたデータであって、他方が保護を解除するためのパスワードであるなど、保護情報と保護解除情報という関係であってもよい。また、例えば、一方のセキュリティＩＤ情報が「ＡｘＣｘ」、他方のセキュリティＩＤ情報が「ｘＢｘＤ」であるなど、互いに組み合わせることで一連のアルファベットの並びが完成するような認証ルールや、一方のセキュリティＩＤ情報が「１２ｘｘ」、他方のセキュリティＩＤ情報が「ｘｘ３４」であるなど、互いに組み合わせることで数字の並びが完成するような認証ルールなどが考えられる。また、例えば、セキュリティＩＤ情報が一定の関係にあることを確認するための参照情報としてのテーブルを準備しておき、このテーブルに基づいて一方のセキュリティＩＤ情報と他方のセキュリティＩＤ情報が関連付される関係であってもよい。また、例えば、ＰＣ１０及び認証端末３０のいずれか一方からは暗号化された識別情報を受信し、他方からは暗号化キー（復号キー）を受信し、適切に復号できた場合に認証成功と判定してもよい。
【０１０４】
また、上記実施形態では、セキュリティＩＤ情報による認証に失敗したときに、プリンタ装置２０、ＰＣ１０、及び認証端末３０のそれぞれでセキュリティＩＤ情報の消去を行っている。この処理は、プリンタ装置２０、ＰＣ１０、及び認証端末３０の全てで行うことが特に好ましいが、プリンタ装置２０と、ＰＣ１０または認証端末３０とで行ってもよい。
【０１０５】
また、セキュリティ印刷処理において、ＰＣ１０から認証端末３０に対して送信されるセキュリティＩＤ情報及びアドレス情報は、Ｅ−ｍａｉｌ（ｅメール）によって送信されてもよい。これによれば、外出先で近距離無線通信などを利用したセキュリティ印刷を実行する場合に、Ｅ−ｍａｉｌでセキュリティＩＤ情報及びアドレス情報を送受信することが可能となる。これにより、さらに利便性を高めることができる。また、ＰＣ１０からプリンタ装置２０に対して送信されるセキュリティＩＤ情報も同様に、Ｅ−ｍａｉｌで送信されてもよい。
【０１０６】
また、ＣＰＵ１００の通信Ｉ／Ｆ１１０、プリンタ装置２０の通信Ｉ／Ｆ２１０、及び認証端末３０の通信Ｉ／Ｆ３１０は、それぞれ異なる通信方式を採用してもよいし、すべて同じ通信方式を採用してもよい。ただし、プリンタ装置２０と認証端末３０との間の通信は無線通信であることが利便性の上で好ましい。
【０１０７】
また、上記実施形態では、ＰＣ１０から認証端末３０に対してアドレス情報が送信されていたが、アドレス情報はプリンタ装置２０に対して送信されてもよい。ただし、認証端末３０に対してアドレス情報を送信し、プリンタ装置２０と認証端末３０とのセキュリティＩＤ情報による認証が成功したときに、認証端末３０からプリンタ装置２０に対してアドレス情報を送信するようにすると、セキュリティ性を高めることができるため好ましい。
【０１０８】
また、セキュリティＩＤ情報は、印刷完了時に、ＰＣ１０、プリンタ装置２０、及び認証端末３０のすべてで必ずしも抹消される必要はない。すなわち、システムの構成上、いずれかの装置でセキュリティＩＤ情報が抹消されることでセキュリティ性を保つことができる。ただし、セキュリティＩＤ情報が抹消されないまま記憶された場合、メモリにおいて不要な記憶領域を使ってしまうことになるため、例えば一定時間経過したことにより抹消されるような処理を行うことが好ましい。
【０１０９】
また、セキュリティ印刷の実行の際には、他の印刷ジョブを保留してセキュリティ印刷を優先させる処理を行ったが、この処理は必須のものではない。また、このようにセキュリティ印刷以外の印刷を保留する場合、印刷途中で強制的にセキュリティ印刷を割り込ませてもよいし、印刷中の印刷ジョブが終了した時点でセキュリティ印刷を割り込ませてもよい。
【０１１０】
また、本実施形態のプリンタシステムは、ＰＣ１０以外に、印刷ジョブを記憶するプリンタサーバを設置してもよい。この場合、印刷ジョブはＰＣ１０からプリンタサーバに送信されて記憶され、プリンタ装置２０はプリンタサーバから印刷ジョブを受信する構成となる。
【産業上の利用可能性】
【０１１１】
本発明は、セキュリティ機能を強化したプリンタ装置などとして好適に適用される。
【符号の説明】
【０１１２】
１０…ＰＣ
１００…ＣＰＵ
１１０…通信Ｉ／Ｆ
１２０…メモリ
２０…プリンタ装置
２００…ＣＰＵ
２１０…通信Ｉ／Ｆ
２２０…メモリ
２３０…印刷部
３０…認証端末（移動端末）
３１０…通信Ｉ／Ｆ
３２０…メモリ
【図１】
2017170661.tif 000003
【図２】
2017170661.tif 000004
【図３】
2017170661.tif 000005
【図４】
2017170661.tif 000006
【図５】
2017170661.tif 000007
【図６】
2017170661.tif 000008
【図７】
2017170661.tif 000009